(57)【特許請求の範囲】
【請求項１】
一対の透明部材の間に透明配線が配線されている透明導電部材と、該透明導電部材に電気的に接続されている灯具とを具備してなる照明器具であって、
前記透明導電部材は、
前記透明部材の所定位置に開口された開口部と、
前記開口部の開口端部において正極と負極が形成されるように、前記開口部の端面形状に沿って設けられ、前記透明配線の一端に接続される第１の電気的接続部と、
前記透明部材に設けられ、一端が該透明配線の他端に接続され、他端が電源と電気的に接続される第２の電気的接続部とを具備してなり、
前記灯具は、該開口部に取り付けられた状態で、前記第１の電気的接続部と電気的に接続されて、給電されることを特徴とする照明器具。
【請求項２】
前記透明導電部材は、前記一対の透明部材の間に前記透明配線が、透明絶縁層に絶縁されて重畳して複数配線され、前記第１の電気的接続部が各透明配線のそれぞれの一端に接続されるとともに、前記第２の電気的接続部が各透明配線のそれぞれの他端に接続されることを特徴とする請求項１に記載の照明器具。
【請求項３】
前記灯具は、前記開口部に着脱可能に取り付けられることを特徴とする請求項１または請求項２に記載の照明器具。
【請求項４】
前記開口部は、平面視円形に形成され、前記灯具が該開口部に沿って水平方向に回転可能に取り付けられることを特徴とする請求項１から請求項３までのいずれか一項に記載の照明器具。
【請求項５】
前記灯具は、前記開口部の開口端部との間に空間を有するように取り付けられることを特徴とする請求項１から請求項４までのいずれか一項に記載の照明器具。
【発明の詳細な説明】
【技術分野】
【０００１】
本発明は、照明器具に関し、より詳細には、透明部材に灯具が取り付けられた照明器具に関する。
【背景技術】
【０００２】
従来、透明配線を用いて透明部材に灯具が取り付けられた照明器具の技術は公知となっている。例えば、特許文献１に記載のとおりである。
特許文献１には、金属または金属酸化物の透明な導電層が塗布された透明ガラスで構成されたランプ取付部材に灯具としてのランプが取り付けられた照明器具が開示されている。ランプに対して透明ガラスや透明な導電層等のランプ取付部材が目立たないため、ランプが空間に浮いたように見えることにより、空間の雰囲気を演出することができる。
【特許文献１】特表２００２−５２８８４７号公報
【発明の開示】
【発明が解決しようとする課題】
【０００３】
しかし、特許文献１に開示されている照明器具は、補助的、装飾的な部分照明に関するものであり、居間、食堂、台所、寝室等の全体照明としては照度が不十分であるため実用的なものではない。また、透明ガラスや透明な導電層等により構成されているランプ取付部材の特徴である目立たないという特徴を、十分に活かせているとは言えない。さらに、雰囲気に応じて光を変化させたりすることができず、光のバリエーションに乏しい。特に、近年の照明器具においては、ランプ取付部材に対するランプの配置や取付構造に特徴をもたせて、全体として優れた美観を有するようにデザイン性に富んだ製品が提供されているところである。
【０００４】
本発明は以上の状況に鑑み、全体照明として実用的であるとともに、配線が目立たず全体として優れた美観を有するようにデザイン性に富み、かつ、光のバリエーションに富んだ照明器具を提供することを目的とする。
【課題を解決するための手段】
【０００５】
本発明の解決しようとする課題は以上のとおりであり、次にこの課題を解決するための手段を説明する。
【０００６】
すなわち、請求項１においては、一対の透明部材の間に透明配線が配線されている透明導電部材と、該透明導電部材に電気的に接続されている灯具とを具備してなる照明器具であって、
前記透明導電部材は、
前記透明部材の所定位置に開口された開口部と、
前記開口部の開口端部において正極と負極が形成されるように、前記開口部の端面形状に沿って設けられ、前記透明配線の一端に接続される第１の電気的接続部と、
前記透明部材に設けられ、一端が該透明配線の他端に接続され、他端が電源と電気的に接続される第２の電気的接続部とを具備してなり、
前記灯具は、該開口部に取り付けられた状態で、前記第１の電気的接続部と電気的に接続されて、給電されるものである。
【０００７】
請求項２においては、
前記透明導電部材は、前記一対の透明部材の間に前記透明配線が、透明絶縁層に絶縁されて重畳して複数配線され、前記第１の電気的接続部が各透明配線のそれぞれの一端に接続されるとともに、前記第２の電気的接続部が各透明配線のそれぞれの他端に接続されるものである。
【０００８】
請求項３においては、
前記灯具は、前記開口部に着脱可能に取り付けられるものである。
【０００９】
請求項４においては、
前記開口部は、平面視円形に形成され、前記灯具が該開口部に沿って水平方向に回転可能に取り付けられるものである。
【００１０】
請求項５においては、
前記灯具は、前記開口部の開口端部との間に空間を有するように取り付けられるものである。
【発明の効果】
【００１１】
本発明の効果として、以下に示すような効果を奏する。
【００１２】
請求項１においては、透明部材や透明配線が目立たないため、灯具が空間に浮いたように見えることにより、空間の雰囲気を演出することができるとともに、居間、食堂、台所、寝室等の全体照明に適合した照度の灯具を用いることにより、全体照明として使用することができる。また、透明部材に対する灯具の配置や、灯具の種類等を変更することで、全体として優れた美観を有するようにデザイン性に富んだ照明器具とすることができる。
【００１３】
請求項２においては、電圧、若しくは電流の異なる電源を接続させることにより、灯具を接続する電源を切り替えて、電圧の異なる複数の灯具を使い分けたり、灯具の明るさを切り替えたりすることができる。
【００１４】
請求項３においては、目的やデザインに応じて灯具を選択して取り替えることで、実用性およびデザイン性をより向上できる。
【００１５】
請求項４においては、灯具が開口部に取り付けられた状態で、開口部の端面に沿ってケースを水平方向に回動させることで、灯具の照射方向を自由に変更することができる。
【００１６】
請求項５においては、灯具が発する熱による透明導電部材への熱的影響を低減させることができる。
【発明を実施するための最良の形態】
【００１７】
次に、発明を実施するための最良の形態を説明する。
まず、第一実施例の照明器具１について、図１から図３を用いて説明する。
【００１８】
本実施例の照明器具１は、図１に示すように、ワイヤー９・９・９・９により天井等につり下げられて使用される。照明器具１は、透明導電部材２と、灯具として光源５０が設けられた灯具ユニット５とを具備してなり、透明導電部材２の中央部に設けられている開口部２２に、灯具ユニット５が取り付けられ、四隅近傍にワイヤー９の一端が接続されて、ワイヤー９の他端が天井等と接続されることで、略水平の状態で天井より垂下される。
【００１９】
透明導電部材２は、図２および図３に示すように、透明部材である一対のガラス板２０・２５と、第１の電気的接続部２３・２３と、第２の電気的接続部２４・２４と、透明配線２１・２１等とで構成されている。
ガラス板２０・２５は、平面視矩形の同一形状に形成され、一側面を対向するようにして貼り合わされて一体に組み付けられており、各ガラス板２０・２５の間には、後述するように第２の電気的接続部２４と透明配線２１が配設されている。このガラス板２０・２５の中央部には、平面視円形の開口部２２が各ガラス板２０・２５を貫通するようにして開口されている。なお、透明部材としては、ガラス板２０・２３の他に、透明なアクリル板より形成してもよい。
【００２０】
開口部２２の開口端部には、第１の電気的接続部２３・２３が、開口部２２の端面形状に沿って取り付けられている。第１の電気的接続部２３・２３は、略同一形状に形成されており、開口部２２の円周方向に沿ってそれぞれ対向する位置に延設されている。また、第１の電気的接続部２３・２３は、各断面略コ字となるように屈曲されて、一方の縁部がガラス板２０の上方に突出されて表面に接触され、他方の縁部がガラス板２０・２５の間に挟まれて取り付けられている。この第１の電気的接続部２３・２３は、一方が灯具ユニット５の正極として、他方が灯具ユニット５の負極として用いられる。
【００２１】
第２の電気的接続部２４・２４は、ガラス板２０・２５の間であって、ガラス板２０・２５の間の対向する両側部の縁部近傍位置に配置されており、ガラス板２０・２５の隅部から縁部に沿って長さ方向の略中央部まで延設されている。この第２の電気的接続部２４・２４の一端は、開口部２２を中心とした対称の位置にあるガラス板２０・２５の隅部にてワイヤー９・９に接続されており、他端は、長さ方向の略中央部で透明配線２１・２１に接続されている。そして、各第２の電気的接続部２４・２４は、透明配線２１・２１を介して第１の電気的接続部２３・２３とそれぞれ接続されている。
【００２２】
第１の電気的接続部２３・２３および第２の電気的接続部２４・２４は、銀箔等の導電体により構成されている。また、ワイヤー９は、ステンレス等の導電体により構成されており、一端が天井等に設けられた図示せぬ電源に接続されている。
【００２３】
透明配線２１・２１は、金属または金属酸化物の透明導電体であり、本実施例においてはインジウムスズ酸化物（ＩＴＯ）が用いられている。この透明配線２１・２１は、ガラス板２０・２５の一方に蒸着されており、ガラス板２０・２５の縁部から長さ方向の略中央部に沿って開口部２２の方向に延出され、一端が、第２の電気的接続部２４・２４の他端と接続されるとともに、他端が上述した第１の電気的接続部２３・２３の一端と接続されている。
【００２４】
なお、本実施例では、上述した第１の電気的接続部２３、第２の電気的接続部２４、および透明配線２１は、それぞれ対となるように配設されており、開口部２２の開口端部において正極と負極が形成されるように構成されている。そして、第１の電気的接続部２３、第２の電気的接続部２４、および透明配線２１の透明導電部材２における配置構成は、開口部２２を中心として対称となるように設けられており、具体的には、開口部２２を中心として１８０度回転させると一致するようにそれぞれ配設されている。
【００２５】
灯具ユニット５は、図３に示すように、光源５０と、光源５０が収納されているケース５１と、ケース５１を開口部２２に取り付けるためのブラケット５２・５２等とで構成されている。本実施例においては、光源５０は、ハイパワーＬＥＤとしている。また、ケース５１は、開口部２２の大きさよりも小さく形成されて、灯具ユニット５が開口部２２に取り付けられた状態で、開口部２２の開口端部とケース５１の側壁との間に空間が有するように構成されているため、光源５０が発する熱による透明導電部材２への熱的影響を低減させることができる。
【００２６】
ブラケット５２・５２は、ケース５１の対向する側壁に取り付けられており、それぞれが同一直線上に位置するようにして逆方向に外側に向けて突設されている。このブラケット５２・５２は、ケース５１と接続され、同一直線上に位置するように突出された長板状のアーム５２ａ・５２ａと、アーム５２ａ・５２ａの一端に設けられ、開口部２２と嵌合嵌合される取付具５２ｂ・５２ｂ等とで構成されている。
なお、ブラケット５２・５２は、それぞれ略同一に形成されるため、以下、特に断りのない限り、一方のブラケット５２の構成について説明する。
【００２７】
取付具５２ｂは、断面視コ字状に形成されて、開口部２２の開口端部と嵌合可能に構成されている。具体的には、取付具５２ｂは、垂直部５２ｄの上下両端から外側に向けて水平部が突出され、図３に示すように、垂直部５２ｄの下端に設けられた水平部５２ｃが、他方の上端に設けられた水平部５２ｃに対して、平面視で重ならない位置まで待避可能なように、水平方向に摺動可能に取り付けられている。そして、本実施例では、各取付具５２ｂ・５２ｂに設けられた水平部５２ｃ・５２ｃがそれぞれ水平方向に摺動可能とされている。
ただし、本実施例では、少なくともいずれか一方の取付具５２ｂにおいて水平部５２ｃが摺動可能に取り付けられていればよい。また、水平部５２ｃは、平面視で重ならない位置まで待避可能に取り付けられればよく、例えば、垂直部５２ｄに対して水平方向に回動可能に取り付けたり、垂直部５２ｄに対して水平部５２ｃを着脱可能に取り付けたりしてもよい。
【００２８】
取付具５２ｂには、第１の電気的接続部２３に接触するように第３の電気的接続部５３が設けられており、具体的には、垂直部５２ｄの上端に設けられた水平部５２ｃの下面に取り付けられ、一端が光源５０に接続されている。この第３の電気的接続部５３は、灯具ユニット５が開口部２２に取り付けられた状態で第１の電気的接続部２３と電気的に接続され、一方、灯具ユニット５が開口部２２から取り外されると、第１の電気的接続部２３との接続が自動的に切断される。また、本実施例では、いずれか一方の取付具５２ｂが正極としての第１の電気的接続部２３と接続され、他方の取付具５２ｂが負極としての第１の電気的接続部２３と接続されることで、光源５０に電気が給電される。
【００２９】
以上のような構成とすることで、照明器具１においては、電源からの電気が、ワイヤー９・９→第２の電気的接続部２４・２４→透明配線２１・２１→第１の電気的接続部２３・２３→第３の電気的接続部５３・５３を経て光源５０へと給電される。
【００３０】
灯具ユニット５を開口部２２に取り付ける場合は、取付具５２ｂ・５２ｂの下方の水平部５２ｃ・５２ｃを開口部２２の中心方向に摺動させて、垂直部５２ｄ・５２ｄを開口部２２の開口端部に案内させるようにして灯具ユニット５を開口部２２に挿入する。本実施例では、灯具ユニット５は、図において上方から開口部２２に挿入される。やがて、取付具５２ｂの上方の水平部５２ｃ・５２ｃが開口部２２の開口端部に上方から当接されて、上下方向に位置決めして停止される。本実施例では、灯具ユニット５が開口部２２に取り付けられた状態では、ケース５１（光源５０）がガラス板２０・２５と略同一平面上に位置するようにして位置決めされる。そして、水平部５２ｃ・５２ｃを外方向に摺動させて、取付具５２ｂ・５２ｂを開口部２２に嵌合させることにより、灯具ユニット５を開口部２２に取り付けることができる。
一方、灯具ユニット５を開口部２２から取り外す場合は、灯具ユニット５が開口部２２に取り付けられている状態から、水平部５２ｃ・５２ｃを開口部２２の中心方向に摺動させて、取付具５２ｂ・５２ｂの開口部２２への嵌合を解除することにより、灯具ユニット５を開口部２２から取り外すことができる。
【００３１】
以上のように、本実施例の照明器具１は、一対のガラス板２０・２５の間に透明配線２１・２１が配線されている透明導電部材２に、透明導電部材２に電気的に接続されている灯具ユニット５が取り付けられ、透明導電部材２において、ガラス板２０・２５に開口された開口部２２と、開口部２２の開口端部に設けられ、透明配線２１・２１の一端に接続される第１の電気的接続部２３・２３と、ガラス板２０・２５の縁部に設けられ、一端が透明配線２１・２１の他端に接続され、他端が図示せぬ電源と電気的に接続される第２の電気的接続部２４・２４とを具備してなり、灯具ユニット５が、開口部２２に取り付けられた状態で、第１の電気的接続部２３・２３と電気的に接続されることで、給電されるように構成されているため、ガラス板２０・２５や透明配線２１・２１が目立たないため、灯具ユニット５（光源５０）が空間に浮いたように見えることにより、空間の雰囲気を演出することができるとともに、居間、食堂、台所、寝室等の全体照明に適合した照度の光源５０を用いることにより、全体照明として使用することができる。また、ガラス板２０・２５に対する光源５０の配置や、光源５０の種類等を変更することで、全体として優れた美観を有するようにデザイン性に富んだ照明器具とすることができる。
【００３２】
特に、本実施例の照明器具１は、灯具ユニット５が透明導電部材２に対して着脱可能に取り付けられているため、目的やデザインに応じて灯具ユニット５を選択して取り替えることで、照明器具１の実用性およびデザイン性をより向上できる。
【００３３】
また、本実施例の照明器具１は、開口部２２が平面視円形に形成され、灯具ユニット５が水平方向に回転可能に取り付けられている。そのため、灯具ユニット５が開口部２２に取り付けられた状態で、開口部２２の端面に沿ってケース５１を水平方向に回動させることで、光源５０の照射方向を自由に変更することができる。
ただし、灯具ユニット５において、ブラケット５２・５２がケース５１に対して相対回動可能に取り付けられるか、若しくはアーム５２ａ・５２ａと取付具５２ｂ・５２ｂとが相対回動可能に連結されるように構成されるのがより好ましい。このような灯具ユニット５が開口部２２に取り付けられることによって、ケース５１を透明導電部材２の水平面に対する照射方向を変更する方向に回転および揺動させて、光源５０の照射方向をより自由に変更することができる。
【００３４】
なお、開口部２２の位置、形状、個数は、本実施例に限定するものではない。
例えば、開口部２２は、透明導電部材２の中央部以外に設けることもでき、その形状は、灯具ユニット５を取り付け可能であれば円形以外の形状でもよい。また、開口部２２を複数設けて、それぞれの開口部２２に複数の灯具ユニット５を取り付けることもできる。
そして、第２の電気的接続部２４・２４の位置は、ガラス板２０・２５の両側部の縁部近傍位置に限定するものではない。
例えば、第２の電気的接続部２４・２４を、開口部２２の開口端部とガラス板２０・２５の両側部の縁部との中途部に配置させることもできる。すなわち、第２の電気的接続部２４・２４は、一端がワイヤー９・９に接続されて、他端が透明配線２１・２１に接続されていればよい。
また、灯具ユニット５の光源５０は、本実施例においてはパワーＬＥＤとしているが、例えば、ハロゲンランプや有機ＥＬ（Ｅｌｅｃｔｒｏ  Ｌｕｍｉｎｅｓｃｅｎｃｅ）等であってもよい。
【００３５】
以下、別実施例の照明器具について説明する。ただし、図１から図３に示した第一実施例と同一符号の部材は、各実施例において同一の構成であるため、詳細な説明は省略する。
【００３６】
図４に示す第二実施例では、灯具ユニット５において、アーム５２ａ・５２ａがケース５１に対して水平方向に伸縮可能に取り付けられており、具体的には、アーム５２ａ・５２ａが伸縮されることでケース５１に対する取付具５２ｂの相対位置が水平方向に近づいたり離れたりするように変動される。また、アーム５２ａ・５２ａには、バネ５２ｅ・５２ｅが内挿されており、取付具５２ｂがケース５１に対して離れる方向に付勢されている。
【００３７】
このような構成とすることで、灯具ユニット５を開口部２２に取り付ける場合には、バネ５２ｅ・５２ｅの付勢力に抗してアーム５２ａ・５２ａを縮ませて、灯具ユニット５を開口部２２に挿入する。そして、アーム５２ａ・５２ａがバネ５２ｅ・５２ｅの付勢力により、外方向に伸ばされて、取付具５２ｂ・５２ｂを開口部２２に嵌合させることにより、灯具ユニット５を開口部２２に取り付けることができる。一方、灯具ユニット５を開口部２２から取り外す場合は、灯具ユニット５が開口部２２に取り付けられている状態から、バネ５２ｅ・５２ｅの付勢力に抗してアーム５２ａ・５２ａを縮ませて、取付具５２ｂ・５２ｂの開口部２２への嵌合を解除することにより、灯具ユニット５を開口部２２から取り外すことができる。
また、バネ５２ｅ・５２ｅの付勢力により、灯具ユニット５を開口部２２に押圧させて、取付具５２ｂ・５２ｂを開口部２２に確実に嵌合させて、第１の電気的接続部２３・２３と第三の電気的接続部５３・５３とを安定して接続できる。
【００３８】
図５および図６に示す第三実施例では、一対のガラス板２０・２５の間に、二種類の透明配線２１および透明配線２６が上下方向に重畳して配置されており、開口部２２の開口端部には、透明配線２１の一端と接続された第１の電気的接続部２３が設けられるとともに、同じく開口部２２の開口端部には、透明配線２６の一端と接続された第１の電気的接続部２７が設けられている。
透明配線２１および透明配線２６は、一方の透明配線２１はガラス板２０・２５の対向する平面であってガラス板２０の下面に蒸着され、他方の透明配線２６はガラス板２５の上面に蒸着されている。また、ガラス板２０・２５が組み付けられた状態で、透明配線２１および透明配線２６は、上下方向に重畳する位置に蒸着され、かかる状態で透明配線２１および透明配線２６の間には、透明なシリコンゴム等により形成された透明絶縁層２９が配設されており、透明配線２１および透明配線２６が電気的に接続されることはない。
【００３９】
第１の電気的接続部２３および第１の電気的接続部２７は、略同一形状に形成されており、開口部２２の円周方向に沿ってそれぞれ上下方向に配設されている。この内、第１の電気的接続部２７は、上述した第１の電気的接続部２３と同様に各断面略コ字となるように屈曲されるが、一方の縁部がガラス板２５の下方に突出されて表面に接触され、他方の縁部がガラス板２０・２５の間に挟まれて取り付けられている。そして、この第１の電気的接続部２３・２３は、一方が灯具ユニット５の正極として、他方が灯具ユニット５の負極として用いられ、同様にこの第１の電気的接続部２７・２７は、一方が灯具ユニット５の正極として、他方が灯具ユニット５の負極として用いられる。
【００４０】
また、第１の電気的接続部２７の一端は、ガラス板２０・２５の縁部に設けられ、他端が図示せぬ電源と電気的に接続される第２の電気的接続部２８と透明配線２６を介して接続されている。具体的には、この第２の電気的接続部２８は、上述した第２の電気的接続部２４と同様に、一端は、開口部２２を中心とした対称の位置にあるガラス板２０・２５の隅部にて、第１の電気的接続部２３と接続されるワイヤー９・９とは、別の他のワイヤー９・９に接続されており、他端は、長さ方向の略中央部で透明配線２６に接続されている。そして、各第２の電気的接続部２８は、透明配線２６を介して第１の電気的接続部２７と接続されているのである。
【００４１】
このような構成とすることで、透明導電部材２には、透明絶縁層２９により絶縁されて重畳して配線されている透明配線２１・２６のそれぞれが、第１の電気的接続部２３・２７と第２の電気的接続部２４・２８と接続されているため、２種類の給電回路が設けられていることになる。そのため、各給電回路に電圧の異なる電源を接続させることにより、電圧の異なる複数の光源５０を使い分けることができる。具体的には、図６に示すように、灯具ユニット５を、第３の電気的接続部５３を介して、下側の第１の電気的接続部２７に電気的に接続させたり、これとは別の電圧の異なる灯具ユニット５を、第３の電気的接続部５３を介して、上側の第１の電気的接続部２３に電気的に接続させたりすることができる。つまり、１台の透明導電部材２で、電圧の異なる２台の灯具ユニット５を使い分けることができる。
また、各給電回路に電流の異なる電源を接続させることにより、灯具ユニット５を接続する電源を切り替えて、１台の灯具ユニット５で、光源５０の明るさを切り替えて使用することもできる。つまり、一方の給電回路には他方の給電回路に比べて大きな電流が流れており、灯具ユニット５を、第３の電気的接続部５３を介して、一方の給電回路に接続させた場合は、光源５０の明るさを明るくでき、他方の給電回路に接続させた場合は、光源５０の明るさを暗くできる。この場合、前述のように、灯具ユニット５において、ブラケット５２・５２がケース５１に対して相対回動可能に取り付けられるか、若しくはアーム５２ａ・５２ａと取付具５２ｂ・５２ｂとが相対回動可能に連結されるように構成されることにより、灯具ユニット５の第３の電気的接続部５３を接続させる第１の電気的接続部２３・２７を、上側の第１の電気的接続部２３から下側の第１の電気的接続部２７へ、若しくは下側の第１の電気的接続部２７から上側の第１の電気的接続部２３へ切り替えても、ケース５１をブラケット５２・５２に対して相対回動させて、若しくはアーム５２ａ・５２ａを取付具５２ｂ・５２ｂに対して相対回動させることにより、光源５０の照射方向を一定に保持することができる。
【００４２】
さらに、図７および図８に示す第四実施例では、第１の電気的接続部２７が設けられる代わりに、透明配線２６に表面実装型の複数のＬＥＤ３０・３０・・・が実装されている。具体的には、透明導電部材２には、ガラス板２０・２５の対向する縁部に沿って第二の電気的接続部２８・２８が設けられ、両端部が第二の電気的接続部２８・２８と接続され、第二の電気的接続部２８の延出方向に沿って所定間隔を空けて敷設された透明配線２６・２６・・・が設けられている。そして、各透明配線２６・２６・・・に表面実装型のＬＥＤ３０・３０・・・が実装されている。第二の電気的接続部２８に一端が図示せぬ電源に接続されたワイヤー９に接続され、ＬＥＤ３０に、この第二の電気的接続部２８および透明配線２６を介して給電することができる。
このように、開口部２２のガラス板２５に灯具ユニット５と、ＬＥＤ３０・３０・・・とを組み合わせて使用することで、全体として優れた美観を有するようにデザイン性に富んだ照明器具とすることができる。
【００４３】
なお、以上に説明した実施例では照明器具１は、天井つり下げ灯として使用されるが、例えば、図９に示すように壁状の照明器具として使用することもできる。また、図１０に示すように照明器具１・１・１を連結して使用することもできる。
【図面の簡単な説明】
【００４４】
【図１】第一実施例の照明器具の全体構成を示した斜視図。
【図２】透明導電部材に設けられた第１の電気的接続部、第２の電気的接続部、および透明配線の配置構成を示す平面図。
【図３】図２におけるＡ−Ａ’断面図。
【図４】第二実施例の照明器具の、図２におけるＡ−Ａ’断面図。
【図５】第三実施例の透明導電部材に設けられた第１の電気的接続部、第２の電気的接続部、および透明配線の配置構成を示す平面図。
【図６】図５におけるＡ−Ａ’断面図。
【図７】第四実施例の照明器具の全体構成を示した斜視図。
【図８】第四実施例の透明導電部材に設けられた第１の電気的接続部、第２の電気的接続部、および透明配線の配置構成を示す平面図。
【図９】照明器具を壁材として使用した状態を示す斜視図。
【図１０】照明器具を連結して天井つり下げ灯として使用した状態を示す斜視図。
【符号の説明】
【００４５】
１    照明器具
２    透明導電部材
５    灯具ユニット
２０    ガラス板
２１・２１    透明配線
２２    開口部
２３・２３    第１の電気的接続部
２４・２４    第２の電気的接続部
２５    ガラス板
２６・２６    透明配線
２７・２７    第１の電気的接続部
２８・２８    第２の電気的接続部
２９    透明絶縁層
５０    光源
【図１】
0004734144.tif 000002
【図２】
0004734144.tif 000003
【図３】
0004734144.tif 000004
【図４】
0004734144.tif 000005
【図５】
0004734144.tif 000006
【図６】
0004734144.tif 000007
【図７】
0004734144.tif 000008
【図８】
0004734144.tif 000009
【図９】
0004734144.tif 000010
【図１０】
0004734144.tif 000011